(57)【要約】【課題】表示部のスライド量を減らすことができる情報処理装置を提供する。【解決手段】情報処理装置１は、本体部２と、表示部３と、本体部２に設けられた入力機構２０とを備えている。表示部３は、本体部２にスライド及び回動可能に支持される。入力機構２０は、第１入力部２１と、第２入力部２２とを有する。第２入力部２２は、第１入力部２１の入力面２１ａの上方に配置され、本体部２または第１入力部２１によって表示部３とは反対方向に摺動可能に支持される。【選択図】図５
2013196271.tif 000002
【特許請求の範囲】
【請求項１】
本体部と、
前記本体部に積層され、かつ前記本体部にスライド及び回動可能に支持された表示部と、
前記本体部に設けられた入力機構と、を備え、
前記入力機構は、
前記本体部に配置された第１入力部と、
前記第１入力部の入力面を覆うように配置され、前記本体部または前記第１入力部によって前記表示部とは反対方向に摺動可能に支持された第２入力部と、を有する
情報処理装置。
【請求項２】
前記本体部は、扁平な略直方体状に形成され、前記入力機構が設けられた主面部を有し、
前記表示部は、表示面が設けられた前面板と反対側に位置する背面板を、前記主面部に対向させて前記本体部に積層し、前記主面部及び前記入力機構を覆う
請求項１に記載の情報処理装置。
【請求項３】
前記第２入力部は、入力を行う入力面と、前記入力面の反対側に位置する背面とを有し、
前記第２入力部の前記背面は、前記第１入力部の前記入力面と対向する
請求項２に記載の情報処理装置。
【請求項４】
前記第２入力部の前記背面には、ガイド部材が設けられており、
前記第１入力部における前記入力面が設けられた一面には、前記ガイド部材と摺動可能に係合し、前記第２入力部を移動可能に支持するガイド受部が設けられている
請求項３に記載の情報処理装置。
【請求項５】
前記表示部のスライド移動と前記第２入力部の摺動を連動させ、前記表示部と前記第２入力部を互いに異なる方向に移動させる表示部連動機構を設けた
請求項１に記載の情報処理装置。
【請求項６】
前記表示部連動機構は、前記表示部が前記本体部に対してスライド移動した際に、前記第２入力部を前記本体部または前記第１入力部に対して摺動させ、あるいは前記第２入力部が前記本体部または前記第１入力部に対して摺動した際に、前記表示部を前記本体部に対してスライド移動させる
請求項５に記載の情報処理装置。
【請求項７】
前記表示部連動機構は、
前記表示部に取り付けられる第１の連動片と、
前記本体部に設けられ、前記１の連動片と歯合する連動ギアと、
前記連動ギアと歯合し前記第２入力部に取り付けられる第２の連動片と、を有する
請求項６に記載の情報処理装置。
【請求項８】
前記表示部連動機構は、
前記第２入力部を付勢する付勢部材と、
前記第２入力部の移動を規制するロック部材と、
前記表示部に設けられ、前記表示部が移動した際に前記ロック部材のロックを解除する解除部材と、を有する
請求項６に記載の情報処理装置。
【請求項９】
前記入力機構は、前記第２入力部の入力面を覆うように配置され、前記本体部または前記第２入力部によって前記第２入力部の摺動方向と同じ方向に摺動可能に支持された第３入力部を有する
請求項１に記載の情報処理装置。
【請求項１０】
前記第２入力部または前記第３入力部のうちどちらか一方の入力部が移動した際に、残りの他方の入力部を、移動した入力部と同一の方向に連動して移動させる入力部連動機構を設けた
請求項９に記載の情報処理装置。
【請求項１１】
前記入力部連動機構は、
前記第２入力部に取り付けられる第１の入力部連動片と、
前記本体部に設けられ、前記入力部連動片と歯合する入力部連動ギアと、
前記入力部連動ギアと歯合し、前記入力部連動ギアの回転方向と反対方向に回転する反転ギアと、
前記反転ギアと歯合し、前記第３入力部に取り付けられる第２の入力部連動片と、を有する
請求項１０に記載の情報処理装置。
【請求項１２】
前記第１入力部及び前記第２入力部のうち一方は、キーボード式の入力部であり、
前記第１入力部及び前記第２入力部のうち残りの他方は、タッチ式の入力部である
請求項１に記載の情報処理装置。
【請求項１３】
前記第２入力部の移動を検知するセンサ部を設けた
請求項１に記載の情報処理装置。
【請求項１４】
前記センサ部が前記第２入力部の移動を検知すると、前記表示部に表示させるユーザインターフェースを切り換える制御部を有する
請求項１３に記載の情報処理装置。
【請求項１５】
前記表示部における表示面の反対側の一面には、前記表示面の移動を支持するスライド溝が設けられており、
前記本体部には、前記スライド溝と係合するヒンジ機構が設けられている
請求項１に記載の情報処理装置。
【発明の詳細な説明】
【技術分野】
【０００１】
本開示は、タッチ式の入力面を有する表示部と、キー式のキーボード等からなる入力部とを備えた情報処理装置に関する。
【背景技術】
【０００２】
近年、情報処理装置の一例として、携帯可能なタブレット型のコンピュータが提案されている。タブレット型のコンピュータは、タッチ式の入力面を有する表示部を備えている。なお、長文を入力する際には、画面をタッチする方式よりもキーボードを用いたキー式の入力部が行い易い。そのため、タッチ式の表示部と、キー式のキーボードからなる入力部の両方を備えた情報処理装置が求められている。
【０００３】
キーボードからなる入力部とタッチ式の表示部の両方を備えた情報処理装置の従来例としては、例えば、特許文献１に記載されているようなものがある。特許文献１には、キーボードを有する本体部と、タッチ式の表示部とを備えた技術が記載されている。
【０００４】
表示部は、本体部にスライド及び回動可能に支持されている。キーボードを使用しないときは、キーボードの入力面が表示部によって覆われている。また、キーボードを使用する際には、表示部をスライド移動させることでキーボードの入力面を露呈させている。
【０００５】
なお、近年では、表示部の大型化と共に、操作性を向上させるためにキーボードも大型化している。
【先行技術文献】
【特許文献】
【０００６】
【特許文献１】特開２００９−２３０２４４号公報
【発明の概要】
【発明が解決しようとする課題】
【０００７】
しかしながら、特許文献１に記載された情報処理装置では、キーボードが大型化すると、キーボードの入力面を露呈させる際やキーボードの入力面を隠す際、表示部のスライド量が増えていた。その結果、特許文献１に記載された情報処理装置では、表示部を移動させる際の操作性が低くなる、という不具合を有していた。
【０００８】
上述の点を鑑みて、本技術は、表示部のスライド量を減らすことができる情報処理装置を提供することを目的とする。
【課題を解決するための手段】
【０００９】
本開示の情報処理装置は、本体部と、表示部と、入力機構と、を備えている。表示部は、本体部に積層され、かつ本体部にスライド及び回動可能に支持される。入力機構は、本体部に設けられる。また、入力機構は、第１入力部と、第２入力部とを有する。第１入力部は、本体部に配置される。そして、第２入力部は、第１入力部の入力面の上方に配置され、本体部または第１入力部によって表示部とは反対方向に摺動可能に支持される。
【発明の効果】
【００１０】
本開示の情報処理装置によれば、入力機構を分割し、積層して配置することで、入力面を露呈する際における表示部のスライド量を減らすことができ、操作性の向上を図ることが可能となる。また、本体部における入力機構が占める領域を少なくすることができる。その結果、本体部の側面部にコネクタやジャック等の部品を配置する空間を広くすることができ、本体部に入力機構以外の部品を効率良く配置することが可能となる。
【図面の簡単な説明】
【００１１】
【図１】本開示の情報処理装置の第１の実施の形態例を示す斜視図である。
【図２】本開示の情報処理装置の第１の実施の形態例を示す平面図である。
【図３】本開示の情報処理装置の第１の実施の形態例を示す側面図である。
【図４】本開示の情報処理装置の第１の実施の形態例を示す正面図である。
【図５】本開示の情報処理装置の第１の実施の形態例における表示部及び入力機構をスライドさせ、表示部を回動させた状態を示す斜視図である。
【図６】図５に示す情報処理装置を反対側から見た斜視図である。
【図７】本開示の情報処理装置の第１の実施の形態例における表示部及び入力機構をスライドさせた状態を示す斜視図である。
【図８】図７に示す情報処理装置を載置面側から見た斜視図である。
【図９】図７に示す情報処理装置をＴ２−Ｔ２断面線で切断した断面図である。
【図１０】本開示の情報処理装置の第１の実施の形態例における表示部のみをスライドさせた状態を示す断面図である。
【図１１】本開示の情報処理装置の第１の実施の形態例における表示部を回動させた状態を示す斜視図である。
【図１２】図５に示す情報処理装置をＴ１−Ｔ１断面線で切断した断面図である。
【図１３】本開示の情報処理装置の第２の実施形態を示す斜視図である。
【図１４】本開示の情報処理装置の第２の実施形態を示す斜視図である。
【図１５】本開示の情報処理装置の第３の実施形態を示す平面図である。
【発明を実施するための形態】
【００１２】
以下、本開示の情報処理装置の実施の形態について、図１〜図１５を参照して説明する。なお、各図において共通の部材には、同一の符号を付している。また、本開示の情報処理装置及び液晶表示ユニットは、以下の形態に限定されるものではない。
【００１３】
なお、説明は以下の順序で行うものとする。
１．第１の実施形態例
１−１．情報処理装置の構成例
１−２．情報処理装置の動作例
２．第２の実施形態例
３．第３の実施形態例
【００１４】
１．第１の実施形態例
１−１．情報処理装置の構成例
まず、第１の実施の形態例（以下、「本例」という。）にかかる情報処理装置の構成例について、図１〜図１２を参照して説明する。
図１は、情報処理装置を示す斜視図、図２は、情報処理装置を示す平面図、図３は、情報処理装置を示す側面図である。図４は、情報処理装置を示す正面図である。図５及び図６は、情報処理装置における表示部を回動させた状態を示す斜視図である。
【００１５】
本例では、情報処理装置の一例として携帯可能なタブレット型のコンピュータを適用した例を説明する。図１に示すように、情報処理装置１は、本体部２と、表示部３とを有している。図３及び図４に示すように、本体部２及び表示部３は、互いに重なり合って積層可能に構成されている。本体部２の上に表示部３が積層され、本体部２と表示部３が後述するヒンジ機構５Ａ，５Ｂによってスライド及び回動可能（図５及び図６参照）に連結されている。すなわち、表示部３は、本体部２に姿勢変更可能に支持されている。
【００１６】
図２に示すように、表示部３は、扁平な略直方体状に形成されている。そして、この表示部３は、表示パネル１０と、表示パネル１０の表示面１０ａが露呈する前面板１１と、前面板１１の反対側に設けられた背面板１２（図３参照）とを有している。
【００１７】
表示パネル１０としては、例えば液晶ディスプレイや有機ＥＬディスプレイ、表面電界ディスプレイ等が挙げられる。また、表示パネル１０の内側には、図示しないが、表示パネル１０の背面側に光を当てるバックライトや、表示パネル１０の画面を制御する制御装置が搭載された配線基板等が必要に応じて収納されている。そして、各種の情報や画像等が表示パネル１０に表示可能に構成されている。
【００１８】
また、表示パネル１０は、例えば、静電容量方式の検出部である検出部を有しており、人体（手指）を介したポインティング操作による文字及び図等の入力が行われる。すなわち、この表示パネル１０は、タッチ式の入力部としての役割を有している。
【００１９】
前面板１１は、略長方形をなす平板状に形成されている。また、前面板１１には、略長方形状に開口する開口部１３が設けられている。更に、この前面板１１には、表示パネル１０が不図示のフレーム部材を介して固定されている。そして、この前面板１１の開口部１３から、その内部に取り付けられた表示パネル１０の表示面１０ａが臨まれている。
【００２０】
図６に示すように、背面板１２は、略長方形をなす平板状に形成されている。この背面板１２は、表示パネル１０の表示面１０ａの反対側に配置されて、前面板１１及び表示パネル１０の背面を全て覆っている。背面板１２には、背面板１２の長手方向に所定の間隔を空けて２つのスライド溝１４Ａ，１４Ｂが形成されている。
【００２１】
第１のスライド溝１４Ａは、背面板１２の長手方向の一側に形成され、第２のスライド溝１４Ｂは、背面板１２の長手方向の他側に形成されている。第１のスライド溝１４Ａ及び第２のスライド溝１４Ｂは、それぞれ背面板１２の短手方向の一側から、短手方向の略中央部にかけて連続して設けられている。第１のスライド溝１４Ａ及び第２のスライド溝１４Ｂは、背面板１２から前面板１１側に向けて凹んだ凹部である。
【００２２】
また、図３に示すように、第１のスライド溝１４Ａ及び第２のスライド溝１４Ｂにおける、背面板１２の短手方向の一端には、係合突起１６が設けられている。係合突起１６は、第１のスライド溝１４Ａ及び第２のスライド溝１４Ｂ内に形成されている。この係合突起１６は、第１のスライド溝１４Ａ及び第２のスライド溝１４Ｂの一端から他端に向けて、背面板１２の短手方向と略平行に突出している。この第１のスライド溝１４Ａ及び第２のスライド溝１４Ｂには、本体部２に設けたヒンジ機構５Ａ，５Ｂを構成するヒンジ部３２の一部が摺動可能に係合している。これにより、表示部３は、第１のスライド溝１４Ａ及び第２のスライド溝１４Ｂに沿ってスライドする。
【００２３】
さらに、図６に示すように、背面板１２における短手方向の一側には、フレキシブル配線基板１８と、カバー部材１９が設けられている。フレキシブル配線基板１８とカバー部材１９は、背面板１２における第１のスライド溝１４Ａと第２のスライド溝１４Ｂの略中央に配置されている。カバー部材１９は、背面板１２に回動可能に取り付けられている。このカバー部材１９は、表示部３を本体部２から離れる方向に回動した際に、フレキシブル配線基板１８を覆う。フレキシブル配線基板１８は、本体部２と表示部３とを電気的に接続している。
【００２４】
［本体部］
図１，図３及び図４に示すように、本体部２は、扁平な略直方体状に形成されている。この本体部２の内部には、制御部と、ＨＤＤ（Hard disk drive）又はＦｌａｓｈ  ＳＤＤ（Flash solid state drive）等からなる記憶装置等が内蔵されている。制御部は、配線基板上に所定のマイクロコンピュータ、抵抗やコンデンサその他の電子部品等を搭載することによって形成される。さらに、この本体部２には、バッテリー装置が内蔵される。
【００２５】
また、本体部２は、略長方形状の主面部２ａと、２つの側面部２ｂ、２ｂと、正面部２ｃと、背面部２ｄと、載置面部２ｅとを有している。２つの側面部２ｂ、２ｂは、主面部２ａの長手方向の両端に主面部２ａから略垂直に連続している。正面部２ｃは、主面部２ａの短手方向の一端に配置されている。背面部２ｄは、正面部２ｃと対向し、且つ主面部２ａの短手方向の他端に配置されている。また、載置面部２ｅは、主面部２ａと対向している。そして、主面部２ａと背面板１２が互いに対向するようにして、表示部３が本体部２に積層される。
【００２６】
［入力機構］
図５に示すように、主面部２ａにおける短手方向の一側には、入力機構２０が設けられている。入力機構２０は、多数のキーからなるキーボードである。この入力機構２０は、図３及び図４に示すように、主面部２ａと共に表示部３によって覆われる。入力機構２０は、２つの側面部２ｂ，２ｂの間に配置されている。この入力機構２０は、第１入力部２１と、第２入力部２２と、第３入力部２３とを有している。
【００２７】
第１入力部２１は、本体部２の主面部２ａに設けられている。また、図４に示すように、第１入力部２１、第２入力部２２及び第３入力部２３は、それぞれ互いに重なり合って積層している。すなわち、第１入力部２１の入力面２１ａの上方に第２入力部２２が配置され、第２入力部２２の入力面２２ａの上方に第３入力部２３が配置されている。すなわち、第２入力部２２における入力面２２ａの反対側に位置する背面２２ｃは、第１入力部２１の入力面２１ａと対向する。また、第３入力部２３における入力面２３ａの反対側に位置する背面２３ｃは、第２入力部２２の入力面２２ａと対向する。そして、第１入力部２１は、第２入力部２２によって覆われ、第２入力部２２は、第３入力部２３によって覆われる。
【００２８】
図７及び図８は、表示部３及び入力機構２０をスライドさせた状態を示す斜視図、図９は、図７に示すＴ２−Ｔ２線断面図である。
【００２９】
図７〜図９に示すように、第１入力部２１は、多数のキーが配置された入力面２１ａと、第１のガイド受部２６が設けられた第１のガイド面２１ｂとを有している。第１のガイド面２１ｂは、主面部２ａにおける正面部２ｃ側に配置され、入力面２１ａは、第１のガイド面２１ｂから主面部２ａの短手方向の略中央にかけて形成されている。第１のガイド面２１ｂには、第２入力部２２を移動可能に支持する第１のガイド受部２６が設けられている。
【００３０】
第２入力部２２は、略長方形状に形成されている。第２入力部２２は、第１入力部２１と同様に、多数のキーが配置された入力面２２ａと、第２のガイド面２２ｂとを有している。また、第２入力部２２における入力面２２ａと反対側の背面２２ｃには、２つの第１のガイド部材２８，２８が設けられている。
【００３１】
第１のガイド部材２８，２８は、背面２２ｃにおける第２入力部２２の長手方向の両側に配置されている。また、第１のガイド部材２８，２８は、背面２２ｃにおける第２入力部２２の短手方向に延在している。この第１のガイド部材２８，２８は、第１入力部２１の第１のガイド受部２６に摺動可能に係合している。そのため、第２入力部２２は、第１入力部２１によって、本体部２の短手方向に移動可能に支持される。
【００３２】
また、第２入力部２２の入力面２２ａは、第２入力部２２の短手方向の一側に形成され、第２のガイド面２２ｂは、第２入力部２２の短手方向の他側に形成されている。第２のガイド面２２ｂには、第３入力部２３を移動可能に支持する第２のガイド受部２７が設けられている。
【００３３】
第３入力部２３は、第２入力部２２と同様に略長方形状に形成されている。第３入力部２３は、多数のキーとタッチ式入力部２５が設けられた入力面２３ａを有している。また、第３入力部２３における入力面２３ａの反対側の背面２３ｃには、２つの第２のガイド部材２９，２９が設けられている。
【００３４】
第２のガイド部材２９，２９は、背面２３ｃにおける第３入力部２３の長手方向の両側に配置されている。第２のガイド部材２９，２９は、背面２３ｃにおける第３入力部２３の短手方向に延在している。この第２のガイド部材２９，２９は、第２入力部２２の第２のガイド受部２７に摺動可能に係合している。そのため、第３入力部は、第２入力部２２によって、本体部２の短手方向に移動可能に支持される。
【００３５】
このように、入力機構２０を３つの入力部２１，２２，２３に分割して積層して配置することで、本体部２において入力機構２０が占める領域を少なくすることができる。これにより、制御部、記憶装置やバッテリー装置を配置するスペースが増え、部品を効率良く配置することができる。さらに、制御部、記憶装置やバッテリー装置を配置するスペースが増えることで、熱を逃がす部分の面積、いわゆる放熱面積が増え、制御部、記憶装置やバッテリー装置の冷却効果を高めることができる。
【００３６】
なお、本例では、入力機構２０を３つに分割した例を説明したが、これに限定されるものではなく、入力機構２０を２つに分割してもよく、あるいは４つ以上に分割してもよい。
【００３７】
［ヒンジ機構］
また、図６に示すように、主面部２ａの短手方向の略中央において入力機構２０の近傍には、２つのヒンジ機構５Ａ，５Ｂが設けられている。第１のヒンジ機構５Ａは、主面部２ａの長手方向の一側に配置され、第２のヒンジ機構５Ｂは、主面部２ａの長手方向の他側に配置されている。また、第１のヒンジ機構５Ａは、表示部３の第１のスライド溝１４Ａと対応する位置に設けられ、第２のヒンジ機構５Ｂは、第２のスライド溝１４Ｂと対応する位置に設けられている。
【００３８】
第１のヒンジ機構５Ａと第２のヒンジ機構５Ｂは、左右対称の構成を有しているため、ここでは、第１のヒンジ機構５Ａについて説明する。図３及び図９に示すように、第１のヒンジ機構５Ａは、回動軸３１と、ヒンジ部３２とを有している。ヒンジ部３２は、スライド片３３と、回動片３４とを有し、略Ｌ字状に形成されている。回動片３４には、回動軸３１が取り付けられている。そして、ヒンジ部３２は、回動軸３１を介して本体部２に回動可能に支持されている。
【００３９】
スライド片３３は、第１のスライド溝１４Ａに摺動可能に係合する。また、第２のヒンジ機構５Ｂのスライド片３３は、第２のスライド溝１４Ｂに摺動可能に係合する。また、スライド片３３には、係合穴３３ａが設けられている。係合穴３３ａは、スライド片３３と回動片３４が接続する箇所から、スライド片３３の先端部に向けて形成されている。
【００４０】
この係合穴３３ａには、第１のスライド溝１４Ａに設けた係合突起１６が嵌り込む。また、第２のヒンジ機構５Ｂの係合穴３３ａには、第２のスライド溝１４Ｂに設けた係合突起１６が嵌り込む。これにより、表示部３は、第１のヒンジ機構５Ａ及び第２のヒンジ機構５Ｂに回動可能に係合する。
【００４１】
また、主面部２ａには、２つの収納凹部３４Ａ，３４Ｂが形成されている。第１の収納凹部３４Ａは、主面部２ａにおける第１のヒンジ機構５Ａが配置された箇所に形成され、第２の収納凹部３４Ｂは、主面部２ａにおける第２のヒンジ機構５Ｂが配置された箇所に形成されている。第１の収納凹部３４Ａ及び第２の収納凹部３４Ｂは、それぞれ第１のヒンジ機構５Ａのヒンジ部３２及び第２のヒンジ機構５Ｂのヒンジ部３２に対応した形状で凹んだ凹部である。
【００４２】
係合穴３３ａと係合突起１６が係合する前の状態では、第１の収納凹部３４Ａ内に、第１のヒンジ機構５Ａのヒンジ部３２が収納され、第２の収納凹部３４Ｂ内に、第２のヒンジ機構５Ｂのヒンジ部３２が収納される。これにより、本体部２に表示部３を重ね合わせた際に、情報処理装置１全体の厚さが厚くなることを防ぐことができる。
【００４３】
また、図３に示すように、側面部２ｂには、外付けディスクドライブやＵＳＢフラッシュメモリ等の外部装置と接続するための接続端子９が設けられている。接続端子９は、本体部２に設けた入力機構２０を避けるように、側面部２ｂにおける背面部２ｄ側に配置されている。
【００４４】
なお、上述したように、本体部２において入力機構２０が占める領域を少なくすることができるため、側面部２ｂにおいて接続端子９を配置できる箇所が増える。これにより、本体部２における厚さ方向の長さを長くすることなく、本体部２の厚さ方向に対して長い部品を配置できる空間が増える。
【００４５】
さらに、主面部２ａと対向して配置される載置面部２ｅには、机等の載置面に接触して本体部２を支える脚部材３７が設けられている。脚部材３７は、本体部２における短手方向の入力機構２０と反対側に配置されている。そのため、本例の情報処理装置１によれば、本体部２を机等に載置した際、入力機構２０側が低くなるように傾斜する。また、入力機構２０の第２入力部２２及び第３入力部２３を引き出しても、第３入力部２３側が低くなるように傾斜する。これにより、入力機構２０を用いてのタイピング操作を行いやすくなる。
【００４６】
１−２．情報処理装置の動作例
次に、上述した構成を有する情報処理装置１の動作例について図１〜図１２を参照して説明する。
図１０は、表示部３をスライドさせた状態を示す断面図である。図１１は、表示部３のみをスライド及び回動させた状態を示す斜視図である。図１２は、図５に示すＴ１−Ｔ１線断面図である。
【００４７】
ここで、図１に示すように、表示部３が本体部２に積層されて、入力機構２０の各入力面２１ａ，２２ａ，２２ｃが表示部３によって覆われている状態を初期状態という。まず、図１０に示すように、表示部３を表示面１０ａと平行に本体部２に対してスライドさせる。このとき、表示部３は、ヒンジ機構５Ａ，５Ｂのスライド片３３に支持されて、第１のスライド溝１４Ａ及び第２のスライド溝１４Ｂに沿って本体部２の短手方向に移動する。これにより、第３入力部２３の入力面２３ａが露呈する。
【００４８】
また、入力機構２０を３つに分割し、積層しているため、表示部３のスライド量を減らすことができ、操作性の向上を図ることができる。
【００４９】
ここで、従来の情報処理装置では、表示部のスライド量が多いため、表示部をガタつきなくスムーズにスライドさせるためには、スライド機構の設計精度を高くする必要があった。これに対し、本例の情報処理装置１によれば、表示部３のスライド量が少ないため、スライド溝１４Ａ，１４Ｂやスライド片３３のスライド機構の設計精度を低くしても、表示部３をガタつきなくスムーズにスライドさせることができる。
【００５０】
表示部３をスライドさせると、スライド溝１４Ａ，１４Ｂに設けた係合突起１６が、ヒンジ機構５Ａ，５Ｂのスライド片３３に設けた係合穴３３ａに嵌り込む。これにより、表示部３がヒンジ機構５Ａ，５Ｂを介して本体部２に回動可能に連結される。
【００５１】
そのため、図１１に示すように、入力機構２０における第３入力部２３の入力面２３ａのみを露呈させた状態で、表示部３を本体部２の主面部２ａから離れる方向に回動させることができる。この図１１に示す状態では、第３入力部２３に設けたタッチ式入力部２５を用いて、表示部３に表示されたマウスポインタ等を操作することができる。
【００５２】
次に、図７〜図９に示すように、入力機構２０における第３入力部２３及び第２入力部２２を引き出す。具体的には、第３入力部２３を把持し、本体部２の短手方向に沿って正面部２ｃから離反する方向に引き出す。そして、第２のガイド部材２９，２９が第２入力部２２の第２のガイド受部２７に支持されて、第３入力部２３は、第２入力部２２の第２のガイド面２２ｂ上をスライドする。これにより、第２入力部２２の入力面２２ａが露呈する。
【００５３】
さらに、第３入力部２３を引き出すと、第２入力部２２が第１入力部２１の第１のガイド面２１ｂ上をスライドする。これにより、第１入力部２１の入力面２１ａが露呈する。すなわち、入力機構２０を構成する３つの入力部２１，２２，２３の全ての入力面２１ａ，２２ａ，２３ａが露呈し、入力機構２０を用いたキー入力が可能となる。
【００５４】
次に、図５及び図１２に示すように、表示部３をヒンジ機構５Ａ，５Ｂを介して本体部２の主面部２ａから離れる方向に回動させる。なお、表示部３は、本体部２に重ね合わせた状態から主面部２ａと離れる方向に略９０°の角度内で自由にその傾きを調整することができるものである。
【００５５】
また、図６に示すように、表示部３を回動させると、カバー部材１９も回動する。これにより、本体部２と表示部３を電気的に接続するフレキシブル配線基板１８をカバー部材１９で保護することが可能となる。また、表示部３を回動させることで、本体部２の主面部２ａが露呈する。これにより、本体部２に内蔵された制御部やバッテリー装置の放熱効果を高めることができる。
【００５６】
さらに、上述した手順を逆に行うことで、情報処理装置１を図５及び図１に示す状態から初期状態に戻すことができる。
【００５７】
また、入力機構２０のスライドを検知するセンサ部を設けてもよい。すなわち、入力機構２０が引き出されたことをセンサ部によって検知すると、制御部は、表示部３を用いたタッチ式の入力に適したユーザインターフェースから、入力機構２０を用いたキー式の入力に適したユーザインターフェースに切り換える。これにより、入力機構２０をスライドさせることで自動的にインターフェースを切り換えることができ、切り換えの手間を省くことが可能となる。
【００５８】
本例では、表示部３、第２入力部２２及び第３入力部２３をスライドさせるスライド機構を全て背面側に設けている。これにより、情報処理装置１における本体部２の短手方向、すなわち幅方向の長さを短くすることできる。
【００５９】
なお、表示部３、第２入力部２２及び第３入力部２３をスライドさせるスライド機構を、それぞれの側面部に設けてもよい。スライド機構を側面部に設けた場合、情報処理装置１における本体部２の厚さ方向の長さを短くすることができる。
【００６０】
２．第２の実施の形態例
次に、第２の実施の形態例にかかる情報処理装置５０について図１３及び図１４を参照して説明する。
図１３は、第２の実施の形態例にかかる情報処理装置５０において表示部３のみをスライドさせた状態を示す斜視図、図１４は、第２の実施の形態例にかかる情報処理装置５０を示す斜視図である。
【００６１】
この第２の実施の形態例にかかる情報処理装置５０が、第１の実施の形態例にかかる情報処理装置１と異なるところは、入力機構である。そのため、ここでは、入力機構について説明し、第１の実施の形態例にかかる情報処理装置１と共通する部分には同一の符号を付して重複した説明を省略する。
【００６２】
図１３及び図１４に示すように、この情報処理装置５０における入力機構６０は、第１入力部６１、第２入力部６２及び第３入力部６３と、を有している。第１入力部６１，第２入力部６２及び第３入力部６３は、互いに重ね合わされて積層されている。そして、第２入力部６２は、第１入力部６１に移動可能に支持され、第３入力部６３は、第２入力部６２に移動可能に支持されている。
【００６３】
図１４に示すように、第１入力部６１及び第２入力部６２は、キー式の入力部、いわゆるキーボードである。第３入力部６３の入力面６３ａには、略長方形に開口した開口部６３ｂが形成されている。また、第３入力部６３には、第２の表示部であるタッチパネル６４を有している。このタッチパネル６４の表示面は、開口部６３ｂに臨んでいる。
【００６４】
また、図１４に示すように、タッチパネル６４は、入力機構６０を引き出した際に、各種の情報や画像等が表示される。このタッチパネル６４は、例えば、静電容量方式の検出部である検出部を有しており、人体（手指）を介したポインティング操作による文字及び図等の入力も可能に構成されている。そのため、タッチパネル６４には、図１３に示すように表示部３のみをスライドさせた際に、第１入力部６１及び第２入力部６２と同様の入力画面も表示可能である。
【００６５】
その他の構成は、上述した第１の実施の形態例にかかる情報処理装置１と同様であるため、それらの説明は省略する。このような構成を有する情報処理装置５０によっても、上述した第１の実施の形態例にかかる情報処理装置１と同様の作用及び効果を得ることができる。
【００６６】
また、この第２の実施の形態例にかかる入力機構６０では、第３入力部６３をタッチ式の入力部とした例を説明したが、これに限定されるものではない。例えば、第１入力部６１または第２入力部６２をタッチ式の入力部としてもよく、あるいは、第１入力部６１、第２入力部６２及び第３入力部６３を全てタッチ式の入力部として構成してもよい。
【００６７】
３．第３の実施の形態例
次に、第３の実施の形態例にかかる情報処理装置７０について図１５を参照して説明する。
図１５は、第３の実施の形態例にかかる情報処理装置７０を示す平面図である。
【００６８】
この第３の実施の形態例にかかる情報処理装置７０は、第１の実施の形態例にかかる情報処理装置１に表示部３と入力機構２０が連動して可動する連動機構を設けたものである。そのため、ここでは、連動機構について説明し、第１の実施の形態例にかかる情報処理装置１と共通する部分には同一の符号を付して重複した説明を省略する。
【００６９】
図１５に示すように、情報処理装置７０は、本体部２と、本体部２に設けられた入力機構２０と、表示部３と、２つの連動機構７１Ａ，７１Ｂとを有している。第１の連動機構７１Ａは、本体部２の長手方向の一側に配置され、第２の連動機構７１Ｂは、本体部２の長手方向の他側に配置されている。第１の連動機構７１Ａ及び第２の連動機構７１Ｂは、それぞれ同一の構成を有しているため、ここでは第１の連動機構７１Ａについて説明する。
【００７０】
第１の連動機構７１Ａは、第１の連動片７２と、第２の連動片７３と、第３の連動片７４と、第１の連動ギア７５と、第２の連動ギア７６と、反転ギア７７とを有している。第１の連動ギア７５、第２の連動ギア７６及び反転ギア７７は、それぞれ本体部２に回転可能に取り付けられている。
【００７１】
なお、第２の連動片７３は、入力部連動機構における第１の入力部連動片としての役割を有し、第３の連動片７４は、入力部連動機構における第２の入力部連動片としての役割を有している。また、第２の連動ギア７６は、入力部連動機構における入力部連動ギアとしての役割を有している。
【００７２】
第１の連動片７２は、表示部３に取り付けられており、表示部３と共に移動する。第１の連動片７２には、その長手方向に沿って歯が形成されている。そして、この第１の連動片７２は、第１の連動ギア７５と歯合する。第１の連動ギア７５は、第１の連動片７２が移動すると回転する。また、第１の連動ギア７５は、第２の連動片７３と歯合する。
【００７３】
第２の連動片７３は、第１の連動ギア７５を間に挟んで第１の連動片７２と対向して配置される。第２の連動片７３は、入力機構２０における第２入力部２２に取り付けられている。そのため、第２入力部２２は、第２の連動片７３と共に移動する。第２の連動片７３は、本体部２に設けた第２の連動ギア７６と歯合する。第２の連動ギア７６は、反転ギア７７と歯合する。そして、反転ギア７７は、第３入力部２３と共に移動する第３の連動片７４に歯合する。
【００７４】
次に、この第３の実施の形態例にかかる情報処理装置７０の動作例について説明する。
まず、表示部３を本体部２に対してスライドさせると、表示部３に設けた第１の連動片７２が表示部３と共にスライドする。第１の連動片７２がスライドすることで、第１の連動片７２と歯合する第１の連動ギア７５が回転する。そして、第１の連動ギア７５の回転力が第２の連動片７３に伝達されて、第２の連動片７３が移動する。第２の連動片７３が移動することで、第２入力部２２が表示部３と反対方向にスライド、摺動する。
【００７５】
また、第２の連動片７３と第３の連動片７４の間には、第２の連動ギア７６と反転ギア７７が配置され、第２の連動片７３の移動が第２の連動ギア７６と反転ギア７７に伝達される。これにより、第２の連動ギア７６と反転ギア７７が互いに反対周りに回転する。すなわち、第２の連動ギア７６の回転方向は、反転ギア７７によって反転される。そして、反転ギア７７の回転力は、第３の連動片７４に伝達されて、第３の連動片７４が移動する。第３の連動片７４が移動することで、第３入力部２３が第２入力部２２と同じ方向にスライドする。
【００７６】
これにより、入力機構２０の第２入力部２２と第３入力部２３を表示部３に連動してスライドさせることが可能となる。これにより、入力機構２０の入力面を露呈させる操作をより簡便に行うことができる。
【００７７】
また、２つの連動機構７１Ａ，７１Ｂは、表示部３と入力機構２０が相対的に移動する表示部連動機構と、第２入力部２２と第３入力部２３が連動して移動する入力部連動機構の２つの役割を有している。さらに、第２入力部２２と第３入力部２３が連動して移動する入力部連動機構だけを設けてよく、あるいは表示部３と入力機構２０が相対的に移動する表示部連動機構だけを設けてもよい。
【００７８】
その他の構成は、上述した第１の実施の形態例にかかる情報処理装置１と同様であるため、それらの説明は省略する。このような構成を有する情報処理装置７０によっても、上述した第１の実施の形態例にかかる情報処理装置１と同様の作用及び効果を得ることができる。
【００７９】
なお、第３の実施の形態例にかかる連動機構７１Ａ，７１Ｂでは、ギアを用いた例を説明したが、表示部と入力部を連動して可動させる連動機構としては、これに限定されるものではない。連動機構としては、例えば、次のような機構を用いることができる。
【００８０】
まず、入力機構２０における第２入力部２２及び第３入力部２３を本体部２の正面部２ｃから離れる方向に付勢するダンパやコイルばね等の付勢部材と、第２入力部２２及び第３入力部２３の移動を規制するロック部材を設ける。そして、表示部３をスライドさせた際に、第２入力部２２及び第３入力部２３に設けたロック部材の規制を解除する解除部材を表示部３に設ける。これにより、表示部３をスライドさせた際に、ロック部材の規制を解除させ、付勢部材の付勢力によって第２入力部及び第３入力部２３を押し出すことできる。
【００８１】
また、連動機構の他の例としては、連動片と連動ギアの代わりに、プーリとベルトを介して表示部３、第２入力部２２及び第３入力部２３を連結する。そして、プーリとベルトが回転することで、表示部３の移動を第２入力部２２及び第３入力部２３に伝達させるようにしてもよい。
【００８２】
なお、表示部と入力部を連動して可動させる連動機構としては、上述したものに限定されるものではなく、その他各種の機構を用いることができるものである。
【００８３】
なお、本開示は以下のような構成も取ることができる。
（１）
本体部と、
前記本体部に積層され、かつ前記本体部にスライド及び回動可能に支持された表示部と、
前記本体部に設けられた入力機構と、を備え、
前記入力機構は、
前記本体部に配置された第１入力部と、
前記第１入力部の入力面を覆うように配置され、前記本体部または前記第１入力部によって前記表示部とは反対方向に摺動可能に支持された第２入力部と、を有する
情報処理装置。
（２）
前記本体部は、扁平な略直方体状に形成され、前記入力機構が設けられた主面部を有し、
前記表示部は、表示面が設けられた前面板と反対側に位置する背面板を、前記主面部に対向させて前記本体部に積層し、前記主面部及び前記入力機構を覆う
前記（１）に記載の情報処理装置。
（３）
前記第２入力部は、入力を行う入力面と、前記入力面の反対側に位置する背面とを有し、
前記第２入力部の前記背面は、前記第１入力部の前記入力面と対向する
前記（１）または（２）に記載の情報処理装置。
（４）
前記第２入力部の前記背面には、ガイド部材が設けられており、
前記第１入力部における前記入力面が設けられた一面には、前記ガイド部材と摺動可能に係合し、前記第２入力部を移動可能に支持するガイド受部が設けられている
前記（３）に記載の情報処理装置。
（５）
前記表示部のスライド移動と前記第２入力部の摺動を連動させ、前記表示部と前記第２入力部を互いに異なる方向に移動させる表示部連動機構を設けた
前記（１）から（４）のいずれかに記載の情報処理装置。
（６）
前記表示部連動機構は、前記表示部が前記本体部に対してスライド移動した際に、前記第２入力部を前記本体部または前記第１入力部に対して摺動させ、あるいは前記第２入力部が前記本体部または前記第１入力部に対して摺動した際に、前記表示部を前記本体部に対してスライド移動させる
前記（５）に記載の情報処理装置。
（７）
前記表示部連動機構は、
前記表示部に取り付けられる第１の連動片と、
前記本体部に設けられ、前記１の連動片と歯合する連動ギアと、
前記連動ギアと歯合し前記第２入力部に取り付けられる第２の連動片と、を有する
前記（５）または（６）に記載の情報処理装置。
（８）
前記表示部連動機構は、
前記第２入力部を付勢する付勢部材と、
前記第２入力部の移動を規制するロック部材と、
前記表示部に設けられ、前記表示部が移動した際に前記ロック部材のロックを解除する解除部材と、を有する
前記（５）または（６）に記載の情報処理装置。
（９）
前記入力機構は、前記第２入力部の入力面を覆うように配置され、前記本体部または前記第２入力部によって前記第２入力部の摺動方向と同じ方向に摺動可能に支持された第３入力部を有する
前記（１）から（８）のいずれかに記載の情報処理装置。
（１０）
前記第２入力部または前記第３入力部のうちどちらか一方の入力部が移動した際に、残りの他方の入力部を、移動した入力部と同一の方向に連動して移動させる入力部連動機構を設けた
前記（９）に記載の情報処理装置。
（１１）
前記入力部連動機構は、
前記第２入力部に取り付けられる第１の入力部連動片と、
前記本体部に設けられ、前記入力部連動片と歯合する入力部連動ギアと、
前記入力部連動ギアと歯合し、前記入力部連動ギアの回転方向と反対方向に回転する反転ギアと、
前記反転ギアと歯合し、前記第３入力部に取り付けられる第２の入力部連動片と、を有する
前記（１０）に記載の情報処理装置。
（１２）
前記第１入力部及び前記第２入力部のうち一方は、キーボード式の入力部であり、
前記第１入力部及び前記第２入力部のうち残りの他方は、タッチ式の入力部である
前記（１）から（１１）のいずれかに記載の情報処理装置。
（１３）
前記第２入力部の移動を検知するセンサ部を設けた
前記（１）から（１２）のいずれかに記載の情報処理装置。
（１４）
前記センサ部が前記第２入力部の移動を検知すると、前記表示部に表示させるユーザインターフェースを切り換える制御部を有する
前記（１３）に記載の情報処理装置。
（１５）
前記表示部における表示面の反対側の一面には、前記表示面の移動を支持するスライド溝が設けられており、
前記本体部には、前記スライド溝と係合するヒンジ機構が設けられている
前記（１）から（１４）のいずれかに記載の情報処理装置。
【００８４】
以上、本開示の情報処理装置の実施の形態例について、その作用効果も含めて説明した。しかしながら、本開示の情報処理装置は、上述の実施の形態例に限定されるものではなく、特許請求の範囲に記載した発明の要旨を逸脱しない範囲内で種々の変形実施が可能である。
【００８５】
上述した実施の形態例では、情報処理装置としてタブレット型のパーソナルコンピュータに適用した例について説明したが、これに限定されるものではない。情報処理装置しては、例えば、ノート型パーソナルコンピュータや携帯電話端末等のタッチ式の表示部と、キー式の入力部を有するものであれば、その他各種の情報処理装置に適用できるものである。
【符号の説明】
【００８６】
１，５０，７０…情報処理装置、  ２…本体部、  ２ａ…主面部、  ２ｂ…側面部、  ２ｃ…正面部、  ２ｄ…背面部、  ２ｅ…載置面部、３…表示部、  ５Ａ…第１のヒンジ機構、  ５Ｂ…第２のヒンジ機構、  １０…表示パネル、  １０ａ…表示面、  １１…前面板、  １２…背面板、  １４Ａ…第１のスライド溝、  １４Ｂ…第２のスライド溝、  １６…係合突起、  １８…フレキシブル配線基板、  １９…カバー部材、  ２０，６０…入力機構、  ２１，６１…第１入力部、  ２１ａ…入力面、  ２１ｂ…第１のガイド面、  ２２，６２…第２入力部、  ２２ａ…入力面、  ２２ｂ…第２のガイド面、  ２２ｃ…背面、  ２３，６３…第３入力部、  ２３ａ…入力面、  ２３ｂ…第２のガイド面、  ２５…タッチ式入力部、  ２６…第１のガイド受部、  ２７…第２のガイド受部、  ２８…第１のガイド部材、  ２９…第２のガイド部材、  ３１…回動軸、  ３２…ヒンジ部、  ３３…スライド片、  ３３ａ…係合穴、  ３４…回動片、  ３４Ａ…第１の収納凹部、  ３５Ｂ…第２の収納凹部、  ６４…タッチパネル、  ７１Ａ…第１の連動機構（表示部連動機構、入力部連動機構）、  ７１Ｂ…第２の連動機構（表示部連動機構、入力部連動機構）、  ７２…第１の連動片、  ７３…第２の連動片（第１の入力部連動片）、  ７４…第３の連動片（第２の入力部連動片）、  ７５…第１の連動ギア（連動ギア）、  ７６…第２の連動ギア（入力部連動ギア）、  ７７…反転ギア
【図１】
2013196271.tif 000003
【図２】
2013196271.tif 000004
【図３】
2013196271.tif 000005
【図４】
2013196271.tif 000006
【図５】
2013196271.tif 000007
【図６】
2013196271.tif 000008
【図７】
2013196271.tif 000009
【図８】
2013196271.tif 000010
【図９】
2013196271.tif 000011
【図１０】
2013196271.tif 000012
【図１１】
2013196271.tif 000013
【図１２】
2013196271.tif 000014
【図１３】
2013196271.tif 000015
【図１４】
2013196271.tif 000016
【図１５】
2013196271.tif 000017